(57)【要約】 【課題】遊技の途中で球貯留箱の段積み作業を行う必要がないパチンコ機の球貯留箱を提供する。【解決手段】複数段に積み重ねられて使用されるパチンコ機の球貯留箱２であって、箱体２３の内部に、球が満杯になったときにオーバーフローさせて球を下段の球貯留箱２に誘導するための、球排出通路２４を設けた。球排出通路２４は、球入口２５が箱体２３の一側に寄せられ、球出口２６が箱体底面２１の中央部に設けられている。また、球排出通路２４には、球貯留箱２が段積みされたときに下段の球貯留箱２の側壁上端２８により回動されて球排出通路２４を開放するレバー構造の開閉機構５を配設することができる。【選択図】図５
2008104665.tif 000002
【特許請求の範囲】
【請求項１】
複数段に積み重ねられて使用されるパチンコ機の球貯留箱であって、
箱体の内部に、球が所定量を超えたときにオーバーフローさせて球を下段の球貯留箱に誘導するための、球排出通路を設けたことを特徴とするパチンコ機の球貯留箱。
【請求項２】
球排出通路は、球入口が箱体の一側に寄せられ、球出口が箱体底面の中央部に設けられている請求項１に記載のパチンコ機の球貯留箱。
【請求項３】
球排出通路に、球排出通路の開閉機構を設けた請求項１に記載のパチンコ機の球貯留箱。
【請求項４】
開閉機構は、支軸の一方に延出する球止め片と、球止め片の反対方向に延出し球貯留箱の外部に臨む球止め解除片とを有するレバー構造のものであって、
球止め片は弾性体により上方に付勢されて球排出通路を閉鎖し、
球止め解除片は球貯留箱が段積みされたときに下段の球貯留箱の側壁上端により上方に回動されて球止め片を下方に回動して球排出通路を開放するものである請求項３に記載のパチンコ機の球貯留箱。
【請求項５】
開閉機構は、支軸の一方に延出する開閉用アームと、開閉用アームの先端に取り付けられた球止め板と、開閉用アームと反対側に延出する球止め解除アームと、球止め解除アームと係合し球貯留箱の外部に臨んで設けられた作動用部材とからなるものであって、
開閉用アームは、弾性体により球排出通路を閉鎖する水平方向に付勢されており、
作動用部材は、球貯留箱が段積みされたときに下段の球貯留箱の側壁上端により上方に押圧される昇降部と、昇降部とともに上昇して球止め解除片を弾性体の付勢に抗して回動させる斜面とを有するものである請求項３に記載のパチンコ機の球貯留箱。
【発明の詳細な説明】
【技術分野】
【０００１】
本発明は、パチンコ機の賞球を貯留するための球貯留箱に関するものである。
【背景技術】
【０００２】
特許文献１には、店員や遊技者が球貯留箱を積み重ねる作業を不要とすることを目的として、球貯留箱を天板に載せたまま球を床面においた球貯留箱に導くための装置が記載されている。この装置においては天板上の球貯留箱の底面に案内通路を設けてその先を床面上の球貯留箱に臨ませているので、天板上の球貯留箱から床面上の球貯留箱に連続して球を誘導することができる。
【０００３】
しかしながら、上記した構造のものにおいては、床面においた球貯留箱が満杯になったときには案内通路を上昇させたうえで満杯となった球貯留箱のうえに空の球貯留箱を置くという作業を行わねばならない。したがって、球が一度に大量に出された場合に球貯留箱の上乗せが間に合わず床面にこぼれてしまうという問題があった。また、遊技の途中において天板上の球貯留箱に球がなくなってしまった場合に、床面上の球貯留箱から天板上の球貯留箱に球を移し替えねばならないという煩わしさがあった。
【特許文献１】特開２０００−３３４１３９号公報  (図２)
【発明の開示】
【発明が解決しようとする課題】
【０００４】
本発明は、上記したような従来の問題点に鑑み、遊技の途中で球貯留箱の段積み作業を行う必要がないパチンコ機の球貯留箱を提供することを課題とする。
【課題を解決するための手段】
【０００５】
上記の課題を解決するためになされた本発明のパチンコ機の球貯留箱は、複数段に積み重ねられて使用されるパチンコ機の球貯留箱であって、箱体の内部に、球が所定量を超えたときにオーバーフローさせて球を下段の球貯留箱に誘導するための、球排出通路を設けたことを特徴とするものである。この発明において、球排出通路は、球入口が箱体の一側に寄せられ、球出口が箱体底面の中央部に設けられている。
【０００６】
また、球排出通路には、球排出通路の開閉機構を設けることができ、この開閉機構を、開閉機構は、支軸の一方に延出する球止め片と、球止め片の反対方向に延出し球貯留箱の外部に臨む球止め解除片とを有するレバー構造のものであって、
球止め片は弾性体により上方に付勢されて球排出通路を閉鎖し、
球止め解除片は球貯留箱が段積みされたときに下段の球貯留箱の側壁上端により上方に回動されて球止め片を下方に回動して球排出通路を開放するものとすることができる。
【０００７】
また、開閉機構は、支軸の一方に延出する開閉用アームと、開閉用アームの先端に取り付けられた球止め板と、開閉用アームと反対側に延出する球止め解除アームと、球止め解除アームと係合し球貯留箱の外部に臨んで設けられた作動用部材とからなるものであって、
開閉用アームは、弾性体により球排出通路を閉鎖する水平方向に付勢されており、
作動用部材は、球貯留箱が段積みされたときに下段の球貯留箱の側壁上端により上方に押圧される昇降部と、昇降部とともに上昇して球止め解除片を弾性体の付勢に抗して回動させる斜面とを有するものとすることができる。
【発明の効果】
【０００８】
請求項１に係る発明は、球が満杯になったときに球をオーバーフローさせて、球排出通路から下段の球貯留箱に球を誘導することができる。
請求項２に係る発明は、球排出通路の球出口を箱体底面の中央部に設けたので、球が偏ることなく下段の球貯留箱に落とし込むことができる。
請求項３に係る発明は、開閉機構により球貯留箱輸送中の球の落ちこぼれを防止することができる。
請求項４、５に係る発明は、球貯留箱を段積みしたときには球排出通路を開放し、球貯留箱を持ち上げたときには球排出通路を閉鎖することができる。
【発明を実施するための最良の形態】
【０００９】
以下に、本発明の実施形態を図面に基づき説明する。
図１は、通常の球貯留箱１のうえに、本発明に係る球貯留箱２が多段に積み重ねられた状態を示す図である。すなわち、図示の状態で１つの単位の球貯留箱セットとなしてある。球貯留箱２には、底面２１と４つの側面２２とからなる箱体２３の内部に、球が所定量を超えたときにオーバーフローさせて球を下段の球貯留箱１、２に誘導するための、球排出通路２４が設けられている。
【００１０】
球排出通路２４は、球入口２５が箱体２３の一側に寄せられ且つ箱体２３の高さの半分より上に位置して設けられ、球出口２６が底面２１の中央部に位置して設けられている。したがって、球を下段の球貯留箱２にまんべんなく均一に導入することができる。なお、球入口２５には、球の落とし込みを容易とするためのガイド片２７が設けられている。
【００１１】
段積みされた球貯留箱２は、例えば図２に示すようにして使用することができる。図２においては天板３上の球箱４に球誘導通路４１を接続し、この誘導通路４１の先を最上段の球貯留箱２に臨ませてある。したがって、球箱４から球が最上段の球貯留箱２に誘導される。最上段の球貯留箱２が満杯となったときに、さらに球が送り込まれると、球は図３に示すようにオーバーフローすることとなって、順次下段の球貯留箱２に球が誘導されることとなる。
【００１２】
以上のように、上段側の球貯留箱２から順次球が満杯になるので、遊技中に球箱４内の球がなくなった場合にも、腰をかがめたりすることなく、最小限の体の移動又は単に手を動かすだけで最上段の球貯留箱２から天板３上の球箱４に球を移し替えることができる。
【００１３】
球貯留箱１、２は、図２に示すように、キャスタ４３上に載置されているので、このまま球計数器まで運搬して賞球の数を計数することができる。球貯留箱２を持ち上げたときには、図４に示すように、球排出通路２４内の球は直下の球貯留箱２に落とし込まれる。
【００１４】
図５に示す球貯留箱２の球排出通路２４には、球排出通路２４を開閉するための開閉機構５が設けてある。図示の状態では同じ形態に球貯留箱２が４段に重ねられて１つの球貯留箱セットを構成している。前期開閉機構５は、支軸５１の一方に延出する球止め片５２と、球止め片５２の反対方向に延出し球貯留箱２の外部に臨む球止め解除片５３とを有するレバー構造のものである。最下段の球貯留箱２の球止め片５２は、弾性部材であるねじりコイルバネ５４によって球排出通路２４を塞ぐ方向、図では上方に付勢されている。よって、球止め解除片５３は、下向き方向に付勢されている。
【００１５】
２段目以上の球貯留箱２においては、球止め解除片５３は段積みされた下段の球貯留箱２の側壁上端２８により上方に回動されている。したがって、球止め片５２を下方に回動させて、球排出通路２４を開放することができる。最下段の球貯留箱２の球排出通路２４のみが閉鎖され、その上部の球排出通路２４は全て連通されることになる。したがって、既記したものと同様にして、球を最上段の球貯留箱２から下段の球貯留箱２にかけて順次満杯とすることができる。球貯留箱２を持ち上げた場合には、図６のように、球止め片５２がねじりコイルバネ５４の付勢により球排出通路２４を閉鎖する。
【００１６】
なお、この球貯留箱２は、図７に示すようにして使用することができる。この形態においては、パチンコ機の球受け皿４４に球誘導路４１が接続され、球誘導路４１の先端が、最上段の球貯留箱２に臨んでいる。
【００１７】
図８に別の形態の開閉機構６を備える球貯留箱２を示す。
図示する開閉機構６は、それぞれ支軸６１の一方に延出する２本の開閉用アーム６２と、開閉用アーム６２の先端に取り付けられた球止め板６３と、開閉用アーム６２と反対側に延出する球止め解除アーム６４と、球止め解除アーム６４と係合する作動用部材６５とからなる。そして、作動用部材６５は、正面視逆Ｔ字状のものであって（図８ａ）、下部の水平バー６６と、球貯留箱２の外部に突出する昇降部６７とを有する。水平バー６６の上面には、内側に向けて相互に傾斜する斜面６６ａが形成されている。開閉用アーム６２は、弾性体であるコイルバネ６８の引き付けにより水平方向に付勢されて、球排出通路２４を閉鎖している。このとき、球止め解除アーム６４は、斜面６６ａの上部に位置されている。
【００１８】
球貯留箱２を段積みした場合には、図９に示すように、下側の球貯留箱２の側壁上端により昇降部６７が上方に押圧される。これによって、水平バー６６も上方に持ち上げられるので、球止め解除アーム６４は、斜面６６ａを内側に向けて下ることになる。２本の球止め解除アーム６４は相互に接近されるので、反対側の開閉用アーム６２は互いに離間されて、球止め片６３は球排出通路２４を開放することができる。したがって、最下段の球貯留箱２の開閉機構５を除き、その上に積み重ねられた全ての球貯留箱２の球排出通路２４は連通するので、球を上段の球貯留箱から順に満杯とすることができる。
【００１９】
以上に説明したように、本発明のパチンコ機の球貯留箱は、上段の球が満杯になったときに球をオーバーフローさせて、下段の球貯留箱に球を誘導することができるので、球貯留箱を積み重ねたりする作業を行う必要がない。
【図面の簡単な説明】
【００２０】
【図１】本発明の球貯留箱を段積みした状態を示す（ａ）正面図、（ｂ）側面図、（ｃ）平面図である。
【図２】球貯留箱の使用状態の説明図である。
【図３】球が上段から下段の球貯留箱に順次満杯になる状態の説明図である。
【図４】球貯留箱を持ち上げた状態の説明図である。
【図５】開閉機構を備えた球貯留箱の使用状態を説明する断面図である。
【図６】開閉機構を備えた球貯留箱を持ち上げた状態の断面図である。
【図７】球貯留箱の使用状態の説明図である。
【図８】別の形態の開閉機構を備えた球貯留箱の（ａ）正面図、（ｂ）平面図、（ｃ）側面図である。
【図９】図８に示す球貯留箱の球止め片が開放された状態を示す（ａ）正面図と（ｂ）平面図である。
【符号の説明】
【００２１】
２  球貯留箱、５  開閉機構、２１  箱体底面、２３  箱体、２４  球排出通路、２５  球入口、２６球出口、２８  側壁上端、
【図１】
2008104665.tif 000003
【図２】
2008104665.tif 000004
【図３】
2008104665.tif 000005
【図４】
2008104665.tif 000006
【図５】
2008104665.tif 000007
【図６】
2008104665.tif 000008
【図７】
2008104665.tif 000009
【図８】
2008104665.tif 000010
【図９】
2008104665.tif 000011